(57)【特許請求の範囲】
【請求項１】
撮影位置に配置された蓄積性蛍光体シートに被写体の放射線画像情報を記録する撮影部と、読み取り位置に配置された前記蓄積性蛍光体シートに対し主方向に励起光を照射するとともに、前記励起光の照射により前記蓄積性蛍光体シートから発せられる輝尽発光光を読み取る読み取り部と、前記読み取り部を前記主方向に略直交する副方向に搬送する搬送部とを備えた放射線画像情報読取装置であって、
前記撮影位置から前記読み取り部の後方に移送するシート移送部は、駆動源と、前記蓄積性蛍光体シートに連結されたアーム部に装着されたガイドローラと、ガイド溝が形成されたガイドプレートとを有するカム機構を備え、
前記駆動源の付勢作用下に前記ガイドローラを前記ガイド溝に沿って移動させることにより、前記撮影位置と前記読み取り位置とに対し、前記蓄積性蛍光体シートを平行姿勢に維持した状態で、円弧状軌跡または互いに異なる少なくとも２方向への直線状軌跡に沿って移送することを特徴とする放射線画像情報読取装置。
【請求項２】
請求項１記載の放射線画像情報読取装置において、
前記撮影部は、撮影台を有し、
前記シート移送部は、前記蓄積性蛍光体シートを前記撮影台から後方であって離間する方向に移送し、さらに、前記撮影台と平行かつ前記読み取り部に近接する方向に移送することを特徴とする放射線画像情報読取装置。
【請求項３】
請求項１又は２記載の放射線画像情報読取装置において、
前記シート移送部は、前記蓄積性蛍光体シートを略水平方向に移送した後に、略鉛直方向に移送することを特徴とする放射線画像情報読取装置。
【請求項４】
請求項１記載の放射線画像情報読取装置において、
前記シート移送部は、前記読み取り部で放射線画像情報が読み取られた後の蓄積性蛍光体シートを前記読み取り部の後方から前記撮影位置に移送することを特徴とする放射線画像情報読取装置。
【請求項５】
請求項４記載の放射線画像情報読取装置において、
前記撮影部は、撮影台を有し、
前記シート移送部は、前記蓄積性蛍光体シートを前記読み取り部の後方から前記撮影台と平行かつ前記読み取り部から離間する方向に移送し、さらに、前記撮影台に近接する方向に移送することを特徴とする放射線画像情報読取装置。
【請求項６】
請求項４又は５記載の放射線画像情報読取装置において、
前記シート移送部は、前記蓄積性蛍光体シートを略鉛直方向に移送した後に、略水平方向に移送することを特徴とする放射線画像情報読取装置。
【請求項７】
請求項１〜６のいずれか１項に記載の放射線画像情報読取装置において、
前記シート移送部は、前記蓄積性蛍光体シートを円弧状軌跡または互いに異なる少なくとも２方向への直線状軌跡に沿って移動させるために、単一の駆動源を設けたカム機構を備えることを特徴とする放射線画像情報読取装置。
【発明の詳細な説明】
【０００１】
【発明の属する技術分野】
本発明は、撮影位置に配置された蓄積性蛍光体シートに被写体の放射線画像情報を記録する撮影部と、読み取り位置に配置された前記蓄積性蛍光体シートに対し主方向に励起光を照射するとともに、前記励起光の照射により前記蓄積性蛍光体シートから発せられる輝尽発光光を読み取る読み取り部と、前記読み取り部を前記主方向に略直交する副方向に搬送する搬送部とを備えた放射線画像情報読取装置に関する。
【０００２】
【従来の技術】
従来より、放射線（Ｘ線、α線、β線、γ線、電子線、紫外線等）を照射すると、この放射線エネルギの一部が蓄積され、その後、可視光等の励起光を照射すると、蓄積されたエネルギ強度に応じて輝尽発光を示す蓄積性蛍光体（輝尽性蛍光体）を利用して、人体等の被写体の放射線画像情報を写真感光材料等に再生させ、あるいはＣＲＴ等に可視像として出力させるシステムが知られている。
【０００３】
具体的には、人体等の被写体の放射線画像情報をシート状の蓄積性蛍光体層を備えた蓄積性蛍光体シート（画像記録担体）に一旦記録し、この蓄積性蛍光体シートにレーザ光等の励起光（光ビーム）を照射することにより輝尽発光光を発生させた後、この輝尽発光光を光電的に読み取って得られた画像信号に基づいて、写真感光材料等の記録媒体やＣＲＴ等の表示装置に被写体の放射線画像情報を可視像として出力（再生）させる種々のシステムが採用されている。
【０００４】
上記のシステムに採用される放射線画像情報読取装置では、通常、蓄積性蛍光体シートに被写体の放射線画像情報を記録する撮影部と、前記蓄積性蛍光体シートに対し主方向に励起光を照射するとともに、前記励起光の照射により前記蓄積性蛍光体シートから発せられる輝尽発光光を読み取る読み取り部と、前記読み取り部と前記蓄積性蛍光体シートとを、前記主方向に略直交する副方向に相対的に搬送する搬送部とを備えている。
【０００５】
この種の放射線画像情報読取装置において、高精度かつ高品質な画像を得るとともに、装置全体のコンパクト化を図ることを目的として種々の提案がなされており、例えば、特許第２８３５６２２号公報に開示されている放射線画像読取装置が知られている。
【０００６】
具体的には、図８に示すように、放射線画像読取装置１内で放射線画像変換プレート２がフレーム（図示せず）に固定されており、この放射線画像変換プレート２の蛍光体面２ａが被写体３に対向している。被写体３には、Ｘ線発生装置４から制御されたＸ線が投射され、前記被写体３の放射線画像情報が放射線画像変換プレート２の蛍光体面２ａに蓄積記録される。
【０００７】
次いで、放射線画像変換プレート２が撮影位置Ｐ１から読み取り位置Ｐ２に移動した後、励起・読取・消去ユニット５が矢印Ｂ方向に移動しながら、前記放射線画像変換プレート２の蛍光体面２ａに励起光Ｌが照射される。このため、励起・読取・消去ユニット５により蛍光体面２ａから放出される輝尽発光光が光電的に読み取られるとともに、消去ランプによって前記蛍光体面２ａに蓄積記録されている放射線画像の消去が行われている。
【０００８】
これにより、放射線画像変換プレート２の放射線曝射側、すなわち、蛍光体面２ａ側から読み取りを行うため、高感度、高コントラスト、高鮮鋭性な画像を記録することができる、としている。
【０００９】
【発明が解決しようとする課題】
しかしながら、上記の従来技術では、放射線画像変換プレート２が、撮影位置Ｐ１と読み取り位置Ｐ２との間を矢印Ａ方向に１次元的に平行移動するため、この放射線画像変換プレート２が移動する際に励起・読取・消去ユニット５が干渉するおそれがある。
【００１０】
従って、励起・読取・消去ユニット５の起動位置または停止位置を、放射線画像変換プレート２の移動範囲から離間させる必要があり、前記励起・読取・消去ユニット５の鉛直方向の移動距離Ｈが、該励起・読取・消去ユニット５の作業に必要とされる距離以上に長尺化してしまう。これにより、放射線画像読取装置１全体が鉛直方向に相当に大型化するという問題が指摘されている。
【００１１】
本発明はこの種の問題を解決するものであり、簡単な構成で、蓄積性蛍光体シートを撮影位置と読み取り位置との間で円滑かつ確実に移動させるとともに、装置全体の小型化を図ることが可能な放射線画像情報読取装置を提供することを目的とする。
【００１２】
【課題を解決するための手段】
本発明に係る放射線画像情報読取装置では、蓄積性蛍光体シートが撮影位置に配置された状態で、被写体の放射線画像情報が記録された後、前記蓄積性蛍光体シートが読み取り位置に配置される。蓄積性蛍光体シートに対し主方向に励起光が照射されるとともに、前記励起光の照射により前記蓄積性蛍光体シートから発せられる輝尽発光光が読み取られている。
【００１３】
その際、蓄積性蛍光体シートは、前記撮影位置から前記読み取り部の後方に移送される。具体的には、蓄積性蛍光体シートが撮影位置と読み取り位置との間で１次元の移動動作を行う際に、この蓄積性蛍光体シートに干渉する位置に読み取り部が配置されていても、前記蓄積性蛍光体シートが２次元の移動動作を行うことにより、該蓄積性蛍光体シートと読み取り部との干渉を有効に回避することができる。また、シート移送部は、前記読み取り部で放射線画像情報が読み取られた後の蓄積性蛍光体シートを前記読み取り部の後方から前記撮影位置に移送する。この場合、シート移送部は、駆動源と、蓄積性蛍光体シートに連結されたアーム部に装着されたガイドローラと、ガイド溝が形成されたガイドプレートとを有するカム機構を備え、前記駆動源の付勢作用下に前記ガイドローラを前記ガイド溝に沿って移動させることにより、前記撮影位置と前記読み取り位置とに対し、蓄積性蛍光体シートを円弧状軌跡または互いに異なる少なくとも２方向への直線状軌跡に沿って移動させることができる。これにより、構成が有効に簡素化して経済的なものとなる。しかも、カム機構は、単一の駆動源を設けるだけであり、構造の簡素化が図られるとともに、安価な構成で安定した動作が確実に得られる。
【００１４】
このため、読み取り部は、蓄積性蛍光体シートの記録面に近接して配置されており、この読み取り部の移動距離が必要最小限の移動距離に設定される。従って、装置全体の小型化が容易に図られるとともに、読み取り処理の高速化が遂行可能になる。
【００１６】
【発明の実施の形態】
図１は、本発明の実施形態に係る放射線画像情報読取装置１０の概略構成図である。
【００１７】
放射線画像情報読取装置１０は、撮影位置Ｐ１に配置された蓄積性蛍光体シートＩＰに人体等の被写体Ｈの放射線画像を一旦記録する撮影部１２と、読み取り位置Ｐ２に配置された前記蓄積性蛍光体シートＩＰに対して主方向（矢印Ｘ方向）にレーザ光等の励起光Ｒｏを照射し、放射線の強度に応じて発光する輝尽発光光Ｒを光電的に読み取る読み取り部１４と、前記読み取り部１４を前記主方向に略直交する副方向（矢印Ｙ方向）に搬送する搬送部１６と、前記読み取り部１４に装着されて矢印Ｙ方向に移動するとともに、前記蓄積性蛍光体シートＩＰに残存している放射線エネルギを放出させる消去光源部１８と、前記撮影位置Ｐ１と前記読み取り位置Ｐ２とに対し、前記蓄積性蛍光体シートＩＰを平行姿勢に維持した状態で、互いに異なる２方向（２次元的）への直線状軌跡に沿って移送するシート移送部２０とを備える。
【００１８】
撮影部１２は、放射線Ｓを発生させる放射線源２１と、被写体Ｈを所定位置に保持する放射線透過性の撮影台２２とを備えている。撮影台２２の後方には、フォトタイマ２３と、散乱線除去用のグリッド２４とが配置されている。グリッド２４のさらに後方には、蓄積性蛍光体シートＩＰが所定の撮影位置Ｐ１に保持されている。
【００１９】
図１および図２に示すように、読み取り部１４は、励起系３６と、ロッドレンズアレイ３８を設けるＣＣＤラインセンサ（光電変換手段）４０とを備える。前記励起系３６、前記ロッドレンズアレイ３８および前記ＣＣＤラインセンサ４０は、主方向に延在してスキャナヘッド４２に装着される。
【００２０】
励起系３６は、主方向（矢印Ｘ方向）に配列される複数個のレーザダイオード４４を備える。レーザダイオード４４は、励起光出射側が読み取り位置Ｐ２に保持されている蓄積性蛍光体シートＩＰから離間する方向に向かって配置されるとともに、前記レーザダイオード４４から発せられる発散光状態の励起光は、シリンドリカルミラー４６で反射されて励起光Ｒｏとして蓄積性蛍光体シートＩＰに主方向に向かって線状に照射される。
【００２１】
図２に示すように、搬送部１６は、矢印Ｙ方向一端側（例えば、下端側）に配置される回転駆動源５０を備え、この回転駆動源５０から矢印Ｘ方向に延在する回転軸５２の両端には駆動プーリ５４が固定される。各駆動プーリ５４は、側板５５に回転自在に支持されるとともに、前記側板５５には、前記駆動プーリ５４から矢印Ｙ方向上方に所定間隔離間して従動プーリ５６が配置される。従動プーリ５６と駆動プーリ５４とには、ベルト５８が架け渡される。各ベルト５８がスキャナヘッド４２の矢印Ｘ方向両端に固定されるとともに、このスキャナヘッド４２は、矢印Ｙ方向に延在する一対のガイドレール５９に支持されている。
【００２２】
図１に示すように、消去光源部１８は、スキャナヘッド４２に固定されるケーシング６０を備え、このケーシング６０内には、複数本の光源６１が、矢印Ｘ方向に延在しかつ矢印Ｙ方向に配列して収容されている。消去光源部１８は、光源６１から蓄積性蛍光体シートＩＰに消去光を照射して該蓄積性蛍光体シートＩＰに残存している放射線エネルギを放出させるものである。
【００２３】
シート移送部２０は、図３に示すように、回転駆動源６２を備え、この回転駆動源６２の両端から矢印Ｘ方向に延在する回転軸６４には、駆動プーリ６６と駆動歯車６８とが固定される。回転軸６４の上方（矢印Ｙ１方向）には、この回転軸６４と平行に従動軸７０が配設され、この従動軸７０には、それぞれ一組の従動プーリ７２と駆動歯車７４とが、駆動プーリ６６と駆動歯車６８とに対応して固定される。駆動プーリ６６と従動プーリ７２とにそれぞれ伝達ベルト７６が架け渡されるとともに、前記伝達ベルト７６には、テンション付与ローラ７８が位置調整可能に摺接する。
【００２４】
回転軸６４および従動軸７０は、固定フレーム８０に回転自在に支持されており、駆動歯車６８に下側カム機構８２が係合する一方、駆動歯車７４に上側カム機構８４が係合する。
【００２５】
下側カム機構８２は、各駆動歯車６８に噛合する扇形状の従動歯車８６を備え、この従動歯車８６が固定フレーム８０に対し支軸８８を支点にして揺動可能に支持される。従動歯車８６には、第１アーム９０が固定されており、この第１アーム９０の一端が支軸８８に支持されるとともに、その他端が回転軸９２を介して第２アーム９４に係合する。
【００２６】
第２アーム９４は略二等辺三角形状に構成され、１つの頂点が回転軸９２に支持されており、この回転軸９２から離間する方向にアーム部９６ａ、９６ｂが膨出形成されている。アーム部９６ａは、蓄積性蛍光体シートＩＰの下端側に支持部材９８を介して揺動可能に連結されるとともに、アーム部９６ｂには、ガイドローラ１００が装着される。
【００２７】
このガイドローラ１００は、固定フレーム８０に装着されたカムプレート１０２に係合する。カムプレート１０２には、ガイドローラ１００が挿入される第１ガイド溝１０４、第２ガイド溝１０６および第３ガイド溝１０８が連続して形成される。ガイドローラ１００が第１乃至第３ガイド溝１０４、１０６および１０８に沿って移動することにより、蓄積性蛍光体シートＩＰは、例えば、２次元の移動動作を行う。
【００２８】
ガイドローラ１００が、図４に示すように、第１および第２ガイド溝１０４、１０６に沿って矢印１１０ａ、１１０ｂの方向に移動することにより、蓄積性蛍光体シートＩＰは、水平方向から下方向に傾斜する矢印α方向に平行移動する。さらに、ガイドローラ１００が第３ガイド溝１０８に沿って矢印１１０ｃ方向に移動することにより、蓄積性蛍光体シートＩＰは、略鉛直下方向に傾斜する矢印β方向に平行移動する。
【００２９】
ガイドローラ１００が第１ガイド溝１０４の下端部に配置された状態で、蓄積性蛍光体シートＩＰは撮影位置Ｐ１に配置される一方、前記ガイドローラ１００が第３ガイド溝１０８の下端部に配置された状態で、前記蓄積性蛍光体シートＩＰは読み取り位置Ｐ２に配置される。
【００３０】
上側カム機構８４は、上述した下側カム機構８２と同様に構成されており、同一の構成要素には同一の参照符号を付して、その詳細な説明は省略する。
【００３１】
このように構成される放射線画像情報読取装置１０の動作について、以下に説明する。
【００３２】
放射線画像情報の記録を行うべく、まず、図５に示すように、シート移送部２０を介して蓄積性蛍光体シートＩＰが撮影位置Ｐ１に配置される。具体的には、下側カム機構８２および上側カム機構８４を構成するカムプレート１０２の第１ガイド溝１０４の下端側にガイドローラ１００が配置されている。
【００３３】
次いで、図１に示すように、患者が撮影部１２側に移動すると、医師等の操作によって撮影台２２を昇降させる等の記録位置合わせが行われる。さらに、患者の患部である被写体Ｈが撮影台２２に対応して配置された状態で、医師等によって放射線源２１が駆動される。この放射線源２１から出力された放射線は、被写体Ｈを透過して蓄積性蛍光体シートＩＰに到達することにより、前記蓄積性蛍光体シートＩＰに放射線画像情報が記録される。
【００３４】
被写体Ｈの放射線画像情報が蓄積性蛍光体シートＩＰに記録された後、シート移送部２０の作用下に前記蓄積性蛍光体シートＩＰが撮影位置Ｐ１から読み取り位置Ｐ２に移送される。すなわち、図３および図５に示すように、シート移送部２０を構成する回転駆動源６２が駆動され、回転軸６４が矢印Ｃ方向に回転する。
【００３５】
この回転軸６４には一組の駆動プーリ６６が固定されており、各駆動プーリ６６に係合する伝達ベルト７６の周回作用下に、前記伝達ベルト７６が架け渡されている従動プーリ７２と一体的に従動軸７０が矢印Ｃ方向に回転する。回転軸６４および従動軸７０の両端には、それぞれ駆動歯車６８、７４が固定されており、前記駆動歯車６８、７４が下側カム機構８２および上側カム機構８４を構成する各従動歯車８６に噛合している。従って、駆動歯車６８、７４が矢印Ｃ方向に回転すると、これに噛合する従動歯車８６が支軸８８を支点にして矢印Ｅ方向に揺動する。
【００３６】
この従動歯車８６には、第１アーム９０が固定されており、前記第１アーム９０は、該従動歯車８６と同様に、支軸８８を支点にして矢印Ｅ方向に揺動し、前記第１アーム９０に係合する第２アーム９４を移動させる。第２アーム９４は、回転軸９２を支点に第１アーム９０に対して揺動可能に装着されるとともに、アーム部９６ｂに設けられたガイドローラ１００が、カムプレート１０２の第１ガイド溝１０４に嵌合している。
【００３７】
このため、第１アーム９０が矢印Ｅ方向に揺動すると、第２アーム９４はガイドローラ１００と第１ガイド溝１０４との案内作用下に、アーム部９６ａに係合する蓄積性蛍光体シートＩＰを撮影位置Ｐ１から離間する方向に移動させる。その際、ガイドローラ１００が、第１ガイド溝１０４から第２ガイド溝１０６に沿って、図４中、矢印１１０ａ、１１０ｂに示す方向に移動する。従って、第２アーム９４は、第１アーム９０と一体的に矢印Ｅ方向に揺動しながら回転軸９２を支点にして揺動し、蓄積性蛍光体シートＩＰを矢印α方向に移動させる（図６参照）。
【００３８】
次に、ガイドローラ１００が、第２ガイド溝１０６と第３ガイド溝１０８との境界部位に配置されることにより、蓄積性蛍光体シートＩＰは、読み取り部１４および消去光源部１８の上方を通過して、前記読み取り部１４および前記消去光源部１８の後方に配置される。
【００３９】
さらに、ガイドローラ１００が、第３ガイド溝１０８に沿って矢印１１０ｃ（図４参照）方向に移動すると、第２アーム９４に支持されている蓄積性蛍光体シートＩＰは、略鉛直下方向（矢印β方向）に移動して読み取り位置Ｐ２に配置される（図７中、二点鎖線および実線参照）。
【００４０】
そこで、図１および図２に示すように、読み取り部１４を構成する励起系３６が駆動されるとともに、搬送部１６を構成する回転駆動源５０が駆動される。励起系３６では、蓄積性蛍光体シートＩＰの主方向（矢印Ｘ方向）に配列されている複数のレーザダイオード４４が駆動され、前記レーザダイオード４４から出力されてシリンドリカルミラー４６で反射された励起光Ｒｏが、蓄積性蛍光体シートＩＰに矢印Ｘ方向に沿って照射される。
【００４１】
一方、搬送部１６を構成する回転駆動源５０の駆動作用下に、回転軸５２を介して駆動プーリ５４が回転すると、この駆動プーリ５４と従動プーリ５６とに架け渡されているベルト５８の周回走行作用下に、前記ベルト５８に固着されているスキャナヘッド４２が矢印Ｙ２方向（鉛直上方向）に移動する。このため、放射線画像情報が蓄積された蓄積性蛍光体シートＩＰは、励起光Ｒｏによって２次元的に走査され、この蓄積性蛍光体シートＩＰが前記放射線画像情報に応じた輝尽発光光Ｒを発する。
【００４２】
この輝尽発光光Ｒは、ロッドレンズアレイ３８を介してＣＣＤラインセンサ４０に入射される。このＣＣＤラインセンサ４０に輝尽発光光Ｒが入射すると、この輝尽発光光Ｒが電気信号に変換されて蓄積性蛍光体シートＩＰの放射線画像情報が光電的に読み取られる。
【００４３】
次いで、放射線画像情報の読み取りが行われた蓄積性蛍光体シートＩＰに対して、消去光源部１８を構成する光源６１から消去光が照射されるとともに、前記消去光源部１８が搬送部１６の作用下に読み取り部１４と一体的に矢印Ｙ１方向（鉛直下方向）に移動する。従って、蓄積性蛍光体シートＩＰの全面に残存する放射線エネルギの放出が行われ、この蓄積性蛍光体シートＩＰは次の撮影に供されることになる。
【００４４】
具体的には、図３に示すように、回転駆動源６２が前記とは逆方向に駆動されて、回転軸６４が矢印Ｄ方向に回転する。このため、駆動歯車６８、７４に噛合する従動歯車８６が矢印Ｆ方向に揺動し、下側カム機構８２および上側カム機構８４の作用下に、蓄積性蛍光体シートＩＰは、まず、矢印β方向とは逆方向に平行移動した後、矢印α方向とは逆方向に平行移動する。これにより、蓄積性蛍光体シートＩＰは、読み取り位置Ｐ２から撮影位置Ｐ１に移送される。
【００４５】
この場合、本実施形態では、図４に示すように、蓄積性蛍光体シートＩＰが、平行姿勢を維持した状態で、シート移送部２０を介して撮影位置Ｐ１と読み取り位置Ｐ２との間で２次元の移動動作を行っている。すなわち、蓄積性蛍光体シートＩＰは、撮影位置Ｐ１から略水平方向後方（矢印α方向の直線状軌跡）に平行移動した後、略鉛直下方向（矢印β方向の直線状軌跡）に移動することにより、読み取り位置Ｐ２に移送されている。
【００４６】
このため、読み取り位置Ｐ２では、蓄積性蛍光体シートＩＰが読み取り部１４に可及的に近接して配置され、前記読み取り部１４の読み取りに必要な移動距離Ｔ１が有効に短尺化される。図４に示すように、例えば、蓄積性蛍光体シートＩＰを撮影位置Ｐ１と読み取り位置Ｐ２との間で、水平方向（矢印Ｚ方向）の１次元の移動動作を行う際には、読み取り部１４による読み取りに必要な移動距離Ｔ２は、移動距離Ｔ１に比べて相当に長尺化してしまう。
【００４７】
これにより、本実施形態では、蓄積性蛍光体シートＩＰを平行姿勢に維持した状態で、２次元の移動動作により撮影位置Ｐ１と読み取り位置Ｐ２との間で移動させることによって、放線画像情報読取装置１０全体の小型化が容易に図られるとともに、読み取り部１４による放射線画像情報の読み取り処理の高速化が遂行可能になるという効果が得られる。
【００４８】
しかも、シート移送部２０は、単一の回転駆動源６２に連結された下側カム機構８２および上側カム機構８４を介して蓄積性蛍光体シートＩＰに２次元の移動動作を付与している。従って、シート移送部２０の構成が有効に簡素化されて経済的であるとともに、安価でかつ安定した移動動作が確実に得られるという利点がある。
【００４９】
なお、本実施形態では、蓄積性蛍光体シートＩＰを、平行姿勢に維持した状態で、互いに異なる２方向、すなわち、図４中、矢印α方向の直線状軌跡と矢印β方向の直線状軌跡に沿って移送しているが、これに限定されるものではない。例えば、蓄積性蛍光体シートＩＰを、平行姿勢に維持した状態で、互いに異なる３方向以上の直線状軌跡、または、円弧状軌跡（２次元の移動動作）に沿って移送しても、同様の効果を得ることができる。
【００５０】
また、本実施形態では、蓄積性蛍光体シートＩＰを鉛直姿勢に保持してこの蓄積性蛍光体シートＩＰに担持されている放射線画像情報の読み取り処理を行う縦置きタイプの放射線画像情報読取装置１０を用いて説明したが、例えば、前記蓄積性蛍光体シートＩＰを水平姿勢に保持して放射線画像情報の読み取り処理を行う横置きタイプの装置を用いてもよい。
【００５１】
【発明の効果】
本発明に係る放射線画像情報読取装置では、蓄積性蛍光体シートが平行姿勢を維持した状態で、撮影位置と読み取り位置との間で２次元の移動動作を行うことにより、前記蓄積性蛍光体シートと読み取り部との干渉を有効に回避することができる。このため、該読み取り部の移動距離が必要最小限の値に設定され、装置全体の小型化が容易に図られるとともに、読み取り処理の高速化が遂行可能になる。
【図面の簡単な説明】
【図１】本発明の実施形態に係る放射線画像情報読取装置の概略構成図である。
【図２】前記放射線画像情報読取装置の内部構造の分解斜視図である。
【図３】前記放射線画像情報読取装置を構成するシート移送部の斜視説明図である。
【図４】前記シート移送部の側面説明図である。
【図５】前記シート移送部の作用下に蓄積性蛍光体シートが撮影位置に配置された状態の説明図である。
【図６】前記シート移送部の作用下に前記蓄積性蛍光体シートが前記撮影位置から離間する際の動作説明図である。
【図７】前記シート移送部の作用下に前記蓄積性蛍光体シートが読み取り位置に配置される際の動作説明図である。
【図８】従来技術に係る放射線画像読取装置の概略構成説明図である。
【符号の説明】
１０…放射線画像情報読取装置        １２…撮影部
１４…読み取り部                    １６…搬送部
１８…消去光源部                    ２０…シート移送部
２１…放射線源                      ３６…励起系
４０…ＣＣＤラインセンサ            ４２…スキャナヘッド
５０、６２…回転駆動源              ６１…光源
６４…回転軸                        ６８、７４…駆動歯車
７０…従動軸                        ８２…下側カム機構
８４…上側カム機構                  ８６…従動歯車
９０、９４…アーム                  １００…ガイドローラ
１０２…カムプレート                １０４、１０６、１０８…ガイド溝
Ｐ１…撮影位置                      Ｐ２…読み取り位置
ＩＰ…蓄積性蛍光体シート
【図１】
0003959293.tif 000002
【図２】
0003959293.tif 000003
【図３】
0003959293.tif 000004
【図４】
0003959293.tif 000005
【図５】
0003959293.tif 000006
【図６】
0003959293.tif 000007
【図７】
0003959293.tif 000008
【図８】
0003959293.tif 000009